(57)【要約】【課題】コンパクトな電気接続箱を提供すること。【解決手段】フレーム本体１Ａの内部に、その幅方向Ｈに並べて第１ユニット１０と第２ユニット２０を収容した電源ボックスにおいて、第１ユニット１０の外装ケース１１の幅方向の外面の、ケース内部に部品の空きスペースが存在する部分に、凹部１１ａを形成し、該凹部１１ａに前記第２ユニット２０を配置した。【選択図】図１
2007215266.tif 000002
【特許請求の範囲】
【請求項１】
箱本体の内部に、該箱本体の幅方向に並べて第１ユニットと第２ユニットを収容した電気接続箱であって、
前記第１ユニットの外装ケースの幅方向の外面の、ケース内部に部品の空きスペースが存在する部分に、凹部を形成し、該凹部に前記第２ユニットを配置したことを特徴とする電気接続箱。
【請求項２】
請求項１に記載の電気接続箱であって、
前記凹部を、前記第１ユニットの高さ方向の上半部の水平方向の一方側に設け、前記第１ユニットの下半部と平面視した場合に少なくとも一部がラップするように、前記上半部に設けた凹部に前記第２ユニットを配置したことを特徴とする電気接続箱。
【請求項３】
請求項２に記載の電気接続箱であって、
前記第１ユニットの外装ケースの内部に、垂直に立てた姿勢で回路基板が配置され、該回路基板の下半部の水平方向の一方側に部品が実装され、その上側の空間が前記空きスペースとされ、該空きスペースに対応した前記外装ケースの外面に前記凹部が設けられ、該凹部に前記第２ユニットが配置されており、該第２ユニット上の部品と、前記第１ユニットの水平方向の他方側の上部に配置された部品とが、平面視した場合に略同じ垂直面内に並んでいることを特徴とする電気接続箱。
【発明の詳細な説明】
【技術分野】
【０００１】
本発明は、例えば自動車等といった車両に搭載され且つ用いられる例えばリレー・ボックス、ヒューズ・ボックス、電源ボックス、等といった電気接続箱（即ち、エレクトリック・ジャンクション・ブロック）に関する。
【背景技術】
【０００２】
自動車には、ヒューズやヒュージブルリンクあるいはリレー等の各種の電子・電気部品を搭載した電気接続箱が設けられている（例えば、特許文献１、特許文献２参照）。
【０００３】
図３（ａ）および（ｂ）は従来の自動車搭載用の電源ボックス（電気接続箱）の概略構成図であり、図３（ａ）は平面図、そして図３（ｂ）は（ａ）のＩＩＩｂ−ＩＩＩｂ矢視断面図である。
【０００４】
この電源ボックスは、筐体としてのフレーム１０１と、その内部に収容された第１ユニット１１０および第２ユニット２０と、を有している。フレーム１０１は、高さ方向の中央のフレーム本体（箱本体）１０１Ａと、その上部に配されたアッパカバー１０１Ｂと、下部に配されたロアカバー１０１Ｃとから構成されている。
【０００５】
第１ユニット１１０と第２ユニット２０は、フレーム本体１０１Ａの内部にフレーム本体１０１Ａの幅方向（矢印Ｈ方向）に並べて収容されている。第１ユニット１１０は、外装ケース１１１の内部に、垂直に立てた姿勢でメイン回路基板１２を配設した構造のもので、メイン回路基板１２の下半部の水平方向の一方側には、基板リレー１３が搭載され、その下方には出入力コネクタ１４が搭載されている。また、メイン基板１２の上半部の水平方向の他方側には、ヒューズ接続部１５が設けられ、該ヒューズ接続部１５に、外部からヒューズ１６が接続されている。
【０００６】
また、第２ユニット２０は、カセットリレーボックス（ＲＢ）として構成されたもので、カセットリレーボックスのハウジング２１に支持した端子２４やブスバーに、ヒュージブルリンク２２やヒューズ２３が接続されている。
【０００７】
尚、図３（ａ）中の参照符号８は電源ボックスを車体に取り付けるための取付ブラケット、そして図３（ｂ）中の参照符号２８は端子２４に繋がる電線である。
【０００８】
【特許文献１】特開２００３−０６１２２８号公報
【特許文献２】特開２００４−２４２４７３号公報
【発明の開示】
【発明が解決しようとする課題】
【０００９】
ところで、図３（ａ）および（ｂ）に示した従来の電源ボックスでは、第１ユニット１１０の外装ケース１１１の幅（厚み）寸法を、内部に収容した部品の搭載部最大寸法を基準にして決めているため、電源ボックス全体の幅（厚み）Ｈ２が大きくなってしまい、車両に搭載する上で無理が生じることがあった。
【００１０】
本発明は、上述した事情に鑑みてなされたものであり、その目的は、外形寸法の縮小を可能にしたコンパクトな電気接続箱を提供することにある。
【課題を解決するための手段】
【００１１】
前述した目的を達成するため、本発明に係る電気接続箱は、下記（１）〜（３）を特徴としている。
（１）  箱本体の内部に、該箱本体の幅方向に並べて第１ユニットと第２ユニットを収容した電気接続箱であって、
前記第１ユニットの外装ケースの幅方向の外面の、ケース内部に部品の空きスペースが存在する部分に、凹部を形成し、該凹部に前記第２ユニットを配置したこと。
（２）  上記（１）の構成の電気接続箱において、
前記凹部を、前記第１ユニットの高さ方向の上半部に設け、前記第１ユニットの下半部と平面視した場合に少なくとも一部がラップするように、前記上半部に設けた凹部に前記第２ユニットを配置したこと。
（３）  上記（２）の構成の電気接続箱において、
前記第１ユニットの外装ケースの内部に、垂直に立てた姿勢で回路基板が配置され、該回路基板の下半部の水平方向の一方側に部品が実装され、その上側の空間が前記空きスペースとされ、該空きスペースに対応した前記外装ケースの外面に前記凹部が設けられ、該凹部に前記第２ユニットが配置されており、該第２ユニット上の部品と、前記第１ユニットの水平方向の他方側の上部に配置された部品とが、平面視した場合に略同じ垂直面内に並んでいること。
【００１２】
上記（１）の構成の電気接続箱によれば、第１ユニットの外装ケースの幅方向の外面に凹部を形成して、該凹部に第２ユニットを配置しているので、第１ユニットと第２ユニットの並び方向の占有スペースを小さくすることができ、箱本体の幅寸法（厚み）を小さくすることができる。
上記（２）の構成の電気接続箱によれば、第１ユニットと第２ユニットを、平面視した場合に少なくともそれらの一部がラップするように配置しているので、第１ユニットの下半部のスペースを全く減らさず、上半部の無駄スペースのみを潰して、スペースの有効利用を図ることができる。従って、電気接続箱のコンパクト化を図ることができる。
上記（３）の構成の電気接続箱によれば、回路基板上の空きスペースを、第２ユニットの配置スペースとして有効利用し、その上で、第１ユニット上の部品と第２ユニット上の部品とを略同じ垂直面内に並ばせているので、よりコンパクト化を図ることができる。
【発明の効果】
【００１３】
本発明によれば、外形寸法の縮小を可能にしたコンパクトな電気接続箱を提供できる。
【００１４】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１５】
以下、本発明に係る好適な実施形態を図１〜図２を参照しながら詳細に説明する。
【００１６】
図１（ａ），（ｂ）および（ｃ）は本発明の実施形態である電源ボックス（電気接続箱）の概略構成図であり、図１（ａ）は平面図、図１（ｂ）は図１（ａ）のＩｂ−Ｉｂ矢視断面図、そして図１（ｃ）は図１（ａ）のＩｃ−Ｉｃ矢視断面図である。また、図２は第１ユニットの外装ケースと第２ユニットの関係を示す概略斜視図である。
【００１７】
この電源ボックスは、筐体としてのフレーム１と、その内部に収容された第１ユニット１０および第２ユニット２０とを有している。フレーム１は、高さ方向の中央のフレーム本体（箱本体）１Ａと、その上部に配されたアッパカバー１Ｂと、下部に配されたロアカバー１Ｃとから構成されている。
【００１８】
第１ユニット１０と第２ユニット２０は、フレーム本体１Ａの内部にフレーム本体１Ａの幅方向（矢印Ｈ方向）に並べて収容されている。第１ユニット１１０は、外装ケース１１１の内部に、垂直に立てた姿勢でメイン回路基板１２を配設した構造のもので、メイン回路基板１２の下半部の水平方向の一方側には、基板リレー１３が搭載され、その下方には出入力コネクタ１４が搭載されている。また、メイン基板１２の上半部の水平方向の他方側には、ヒューズ接続部１５が設けられ、該ヒューズ接続部１５に、外部からヒューズ１６が接続されている。
【００１９】
また、第２ユニット２０は、カセットリレーボックス（ＲＢ）として構成されたもので、カセットリレーボックスのハウジング２１に支持した端子２４やブスバー２５に、ヒュージブルリンク２２やヒューズ２３が接続されている。８は電源ボックスを車体に取り付けるための取付ブラケット、２８は端子２４に繋がる電線である。
【００２０】
ここまでは、図３（ａ）および（ｂ）で示した従来品とほぼ同じであるが、本実施形態の電源ボックスでは、その特徴点として、図１（ａ）〜（ｃ）および図２に示されるように、第１ユニット１０の外装ケース１１の幅方向の外面の、ケース内部に部品の空きスペースが存在する部分に凹部１１ａを形成し、該凹部１１ａに第２ユニット２０を配置している。より詳細には、図１（ａ）および図２に示されるように、第２ユニット２０は、その係合部である片持ち状の係合アーム２６が凹部１１ａの係合部である略コ字状の係合枠１８の穴に挿入されるとともに係合アーム２６先端の係止爪が係合枠１８の下端部に係止されることにより、外装ケース１１に取り付けられる。
【００２１】
この場合、メイン回路基板１２の下半部の水平方向の一方側に部品（基板リレー１３や出入力コネクタ１４）が配置され、その上側の空間が空きスペースとなっているので、該空きスペースに対応させて、凹部１１ａを、第１ユニットの高さ方向の上半部の水平方向の一方側に設けている。
【００２２】
そして、第１ユニット１０の下半部と平面視した場合に少なくとも一部がラップするように、凹部１１ａに第２ユニット２０を配置することで、第２ユニット２０上の部品（ヒュージブルリンク２２やヒューズ２３）と、第１ユニット１０の水平方向の他方側の上部に配置された部品（ヒューズ１６）とが、平面視した場合に略同じ垂直面内に並んでいる。
【００２３】
このように、第１ユニット１０の外装ケース１１の幅方向の外面に凹部１１ａを形成して、該凹部１１ａに第２ユニット２０を配置しているので、第１ユニット１０と第２ユニット２０の並び方向の占有スペースを小さくすることができ、箱本体の幅寸法（厚み）Ｈ１を小さくすることができる。
【００２４】
また、第１ユニット１０と第２ユニット２０を、平面視した場合に少なくともそれらの一部がラップするように配置しているので、第１ユニット１０の下半部のスペースを全く減らさず、上半部の無駄スペースのみを潰して、スペースの有効利用を図ることができる。
【００２５】
また、メイン回路基板１２上の空きスペースを、第２ユニット２０の配置スペースとして有効利用し、その上で、第１ユニット１０上の部品（ヒューズ１６）と第２ユニット２０上の部品（ヒュージブルリンク２２やヒューズ２３）とを略同じ垂直面内に並ばせているので、電気接続箱のコンパクト化を図ることができる。
【００２６】
尚、本発明は、前述した実施形態に限定されるものではなく、適宜、変形、改良、組み合わせ、等が可能である。その他、前述した実施形態における各構成要素の材質、形状、寸法、数値、形態、数、配置箇所、等は本発明を達成できるものであれば任意であり、限定されない。
【図面の簡単な説明】
【００２７】
【図１】本発明の実施形態である電源ボックス（電気接続箱）の概略構成図であり、（ａ）は平面図、（ｂ）は（ａ）のＩｂ−Ｉｂ矢視断面図、そして（ｃ）は（ａ）のＩｃ−Ｉｃ矢視断面図である。
【図２】本発明の実施形態である電源ボックスにおける第１ユニットの外装ケースと第２ユニットの関係を示す概略斜視図である。
【図３】従来の自動車搭載用の電源ボックス（電気接続箱）の概略構成図であり、（ａ）は平面図、そして（ｂ）は（ａ）のＩＩＩｂ−ＩＩＩｂ矢視断面図である。
【符号の説明】
【００２８】
１Ａ：フレーム本体（箱本体）
１０：第１ユニット
１１：外装ケース
１１ａ：凹部
１２：メイン回路基板
１３：基板リレー（部品）
１４：出入力コネクタ（部品）
１６：ヒューズ（部品）
２０：第２ユニット
２２：ヒュージブルリンク（部品）
２３：ヒューズ（部品）
【図１】
2007215266.tif 000003
【図２】
2007215266.tif 000004
【図３】
2007215266.tif 000005